【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
中心軸が一定位置で回転駆動される入力軸部の回転を、一軸偏心ねじポンプの雄ねじ型ロータと連結される出力軸部に伝達するためのロータ駆動機構において、
前記入力軸部に対して偏心した位置で前記出力軸部が軸受を介して回動自在に設けられ、
前記入力軸部の回転が、内歯車を有する動力伝達機構を介して前記出力軸部に伝達されて、前記出力軸部が偏心回動運動を行い、
前記入力軸部及び前記出力軸部を、前記内歯車のピッチ円よりも内側に配置したことを特徴とするロータ駆動機構。
【請求項２】
中心軸が一定位置で回転駆動される入力軸部の回転を、一軸偏心ねじポンプの雄ねじ型ロータと連結される出力軸部に伝達するためのロータ駆動機構において、
前記入力軸部に対して偏心した位置で前記出力軸部が軸受を介して回動自在に設けられ、
前記入力軸部の回転が、内歯車及び偏心継手を有する動力伝達機構を介して前記出力軸部に伝達されて、前記出力軸部が偏心回動運動を行うことを特徴とするロータ駆動機構。
【請求項３】
中心軸が一定位置で回転駆動される入力軸部の回転を、一軸偏心ねじポンプの雄ねじ型ロータと連結される出力軸部に伝達するためのロータ駆動機構において、
前記入力軸部は、偏心継手、第１軸部、及び第２軸部を介して前記出力軸部と連結し、
前記第１軸部、第２軸部、及び出力軸部は、それぞれが互いに所定の偏心量で偏心してこの順番で結合し、
前記第１軸部は、第１スライド機構によって回動自在に保持されると共に、当該軸心と略直交する第１直線方向に移動自在であり、
前記第２軸部は、第２スライド機構によって回動自在に保持されると共に、当該軸心と略直交する第２直線方向に移動自在であり、
前記第１直線方向と前記第２直線方向は、前記第１軸部及び前記第２軸部の互いの偏心量に応じた所定の立体交差角度で配置されていることを特徴とするロータ駆動機構。
【請求項４】
前記第１スライド機構は、前記第１軸部を回動自在に保持する第１軸保持部と、この第１軸保持部と結合する第１摺動部と、この第１摺動部を前記第１直線方向に案内する第１案内部とを備え、
前記第２スライド機構は、前記第２軸部を回動自在に保持する第２軸保持部と、この第２軸保持部と結合する第２摺動部と、この第２摺動部を前記第２直線方向に案内する第２案内部とを備えることを特徴とする請求項３記載のロータ駆動機構。
【請求項５】
中心軸が一定位置で回転駆動される入力軸部の回転を、一軸偏心ねじポンプの雄ねじ型ロータと連結する出力軸部に伝達するためのロータ駆動機構において、
前記入力軸部は、偏心継手及び第１軸受構造を介して前記出力軸部と連結し、
前記第１軸受構造は、前記雄ねじ型ロータと略同一の形状及び大きさの前記出力軸部と、前記雄ねじ型ロータが回動自在に装着されるステータの雌ねじ型内孔と略同一の形状及び大きさの雌ねじ型軸受部とを備え、
前記出力軸部と前記雌ねじ型軸受部との嵌合は、前記雄ねじ型ロータと前記ステータの雌ねじ型内孔との嵌合よりも隙間が狭く、又は締りが強くなるように形成されていることを特徴とするロータ駆動機構。
【請求項６】
前記雄ねじ型ロータの前記第１軸受構造が設けられていない側の端部側に、前記第１軸受構造と同等の構成の第２軸受構造を設けたことを特徴とする請求項５記載のロータ駆動機構。
【請求項７】
偏心回動運動する偏心軸と、この偏心軸が偏心回動運動自在に挿通する大径孔を有するケーシングとの間を封止する偏心軸の軸封構造において、
前記偏心軸の外周部と前記大径孔の内周部との間を少なくともダイアフラムによって封止したことを特徴とする偏心軸の軸封構造。
【請求項８】
前記偏心軸が回動自在に挿通する小径孔を有する環状連結部を更に備え、前記偏心軸の外周部と前記環状連結部の内周部との間が第３シール部によって封止され、前記環状連結部の外周部と前記大径孔の内周部との間が前記ダイアフラムによって封止されていることを特徴とする請求項７記載の偏心軸の軸封構造。
【請求項９】
請求項１乃至６のいずれかに記載のロータ駆動機構と、前記一軸偏心ねじポンプとを備えるポンプ装置において、
前記出力軸部は、前記雄ねじ型ロータと連結し、
前記雄ねじ型ロータは、ステータの内孔に回動自在に装着され、
前記ロータ駆動機構は、前記雄ねじ型ロータを、前記ステータの内孔の内面に対して非接触の状態で回転させることを特徴とするポンプ装置。
【請求項１０】
前記出力軸部は、フレキシブルロッドを介して前記雄ねじ型ロータと連結し、
前記フレキシブルロッドは、前記雄ねじ型ロータと前記ステータの内孔の内面との接触圧によって、当該ポンプ装置によって移送される移送流体の品質を損なわないように変形可能に形成されていることを特徴とする請求項９記載のポンプ装置。
【請求項１１】
前記移送流体は、細粒体を含む液体であり、
前記フレキシブルロッド及び前記雄ねじ型ロータは、合成樹脂製であり、
前記フレキシブルロッドは、前記細粒体を破損させないように変形可能に形成されていることを特徴とする請求項１０記載のポンプ装置。
【請求項１２】
請求項１乃至６のいずれかに記載のロータ駆動機構と、請求項７又は８に記載の偏心軸の軸封構造とを備えるポンプ装置において、
前記出力軸部は、前記偏心軸であって、前記一軸偏心ねじポンプの前記雄ねじ型ロータと連結し、
前記雄ねじ型ロータは、ステータの内孔に回動自在に装着されていることを特徴とするポンプ装置。
【請求項１３】
回転駆動部が出力軸部を介して一軸偏心ねじポンプの雄ねじ型ロータを回転させて移送流体を吐出させるポンプ装置において、
前記出力軸部は、フレキシブルロッドを介して前記雄ねじ型ロータと連結し、
前記雄ねじ型ロータは、ステータの内孔の内面と隙間を隔てて回動自在となるように設けられ、
前記フレキシブルロッドは、前記雄ねじ型ロータと前記ステータの内孔の内面との接触圧によって、当該ポンプ装置によって移送される移送流体の品質を損なわないように変形可能に形成されていることを特徴とするポンプ装置。
【請求項１４】
前記移送流体は、細粒体を含む液体であり、
前記フレキシブルロッド及び前記雄ねじ型ロータは、合成樹脂製であり、
前記フレキシブルロッドは、前記細粒体を損傷させないように変形可能に形成されていることを特徴とする請求項１３記載のポンプ装置。
【請求項１５】
雄ねじ型ロータがステータの雌ねじ型内孔に嵌挿し、前記ステータが自転自在に支持され、前記ロータは、前記ステータの内孔に対して公転自在に支持されている一軸偏心ねじポンプを備えるポンプ装置において、
前記ロータ及び前記ステータがそれぞれ別々に回転駆動され、
前記ロータは、自転しない状態で、前記ステータの内孔に対して公転移動するように回転駆動されることを特徴とするポンプ装置。
【請求項１６】
前記ステータの内孔の中心軸及び前記ステータの回動の中心軸が互いに一致するように設けられていることを特徴とする請求項１５記載のポンプ装置。
【請求項１７】
前記ロータは、その一方の端部、又は両方の各端部に設けられている偏心軸を介して公転自在に支持され、前記偏心軸が、駆動部によって駆動されて公転移動することを特徴とする請求項１５又は１６記載のポンプ装置。
【請求項１８】
前記ステータは、軸受を介して回動自在にケーシング内に設けられ、
前記軸受が、当該ポンプ装置によって移送される移送流体と接触しないように、回転側の前記ステータと、固定側の前記ケーシングとの隙間を被冷却シール部によって封止し、
前記被冷却シール部を、前記ケーシングに設けた冷却ポートを介して供給される冷却媒体によって冷却する構成、又は冷却電子素子から伝導される冷熱によって冷却する構成としたことを特徴とする請求項１５乃至１７のいずれかに記載のポンプ装置。
【請求項１９】
前記ロータ及び前記ステータを、互いに非接触の状態で回転させることを特徴とする請求項１５乃至１８のいずれかに記載のポンプ装置。
【請求項２０】
ステータの内孔に雄ねじ型ロータが回動自在に装着されている一軸偏心ねじポンプと、
中心軸が一定位置で回転駆動される入力軸部の回転を、前記雄ねじ型ロータと連結される出力軸部に伝達するためのロータ駆動機構とを備えるポンプ装置において、
前記ロータ駆動機構は、前記入力軸部に対して偏心した位置で前記出力軸部が軸受を介して回動自在に設けられ、
前記雄ねじ型ロータを、前記ステータの内孔の内面に対して非接触の状態で回転させることを特徴とするポンプ装置。
【手続補正２】
【補正対象書類名】明細書
【補正対象項目名】００５２
【補正方法】変更
【補正の内容】
【００５２】
請求項１９の発明に係るポンプ装置は、請求項１５乃至１８のいずれかに記載のポンプ装置において、前記ロータ及び前記ステータを、互いに非接触の状態で回転させることを特徴とするものである。この請求項１９の発明に係るポンプ装置によると、ロータ及びステータを、それぞれが互いに非接触の状態で回転させることができるので、請求項９の発明に係るポンプ装置と同様に作用し、例えば細粒体を含む流体を移送する場合は、細粒体をロータとステータ内面とによってすり潰さないように両者の隙間を設定して、細粒体を、その原形を保った状態で移送できるようにすることができる。
【手続補正３】
【補正対象書類名】明細書
【補正対象項目名】００５３
【補正方法】変更
【補正の内容】
【００５３】
請求項２０の発明に係るポンプ装置は、ステータの内孔に雄ねじ型ロータが回動自在に装着されている一軸偏心ねじポンプと、中心軸が一定位置で回転駆動される入力軸部の回転を、前記雄ねじ型ロータと連結される出力軸部に伝達するためのロータ駆動機構とを備えるポンプ装置において、前記ロータ駆動機構は、前記入力軸部に対して偏心した位置で前記出力軸部が軸受を介して回動自在に設けられ、前記雄ねじ型ロータを、前記ステータの内孔の内面に対して非接触の状態で回転させることを特徴とするものである。この請求項２０の発明に係るポンプ装置によると、雄ねじ型ロータを、ステータの内孔の内面に対して非接触の状態で回転させることができるので、請求項９又は１９に記載した作用と同様に作用する。